(57)【要約】【課題】従来の人検知センサを用いたカメラ監視装置では、照明が壁面であり、撮影時に侵入者に顔を隠されるという課題があった。【解決手段】侵入者を検知する人検知センサと侵入者を照明する天井照明装置を天井の梁部に設け、夜間、暗い部屋であっても撮影用カメラが撮影可能な照度を保つことができる位置に照明を設置することにより、暗視機能を持たないカメラで撮影できる。さらに、一般住宅に設置される天井照明と安価なカメラを使うことにより実用性が高く、手ごろな侵入者撮影装置を提供することができる。【選択図】  図１
2004280379.tif 000002
【特許請求の範囲】
【請求項１】
侵入者を検知する人検知センサと、前記人検知センサによる検知後照明をオンにする天井照明装置と、前記人検知センサによる検知後前記天井照明に照らした前記侵入者を撮影する撮影用カメラとを備え、前記撮影用カメラが撮影する前記侵入者を前記天井照明装置が照明する角度内に入るように前記天井照明装置を設置した侵入者監視装置。
【請求項２】
天井照明装置は白熱球を用いた請求項１記載の侵入者監視装置。
【請求項３】
天井照明装置はダウンライトである請求項１または２記載の侵入者監視装置。
【請求項４】
人検知センサと天井照明装置は、ともに天井の梁部またはその近辺に設置した請求項１から３のいずれかに記載の侵入者監視装置。
【請求項５】
人検知センサと天井照明装置は、隣接する梁部またはその近辺に設置した請求項４記載の侵入者監視装置。
【請求項６】
人検知センサは、天井照明装置と撮影用カメラとの間に設置した請求項５記載の侵入者監視装置。
【請求項７】
天井照明装置は、人検知センサと撮影用カメラとの間に設置した請求項５記載の侵入者監視装置。
【請求項８】
人検知センサと天井照明装置は、同一の梁部またはその近辺に設置した請求項４記載の侵入者監視装置。
【請求項９】
侵入者を検知する人検知センサと、前記人検知センサによる検知後照明をオンにする天井照明装置と、前記人検知センサによる検知後前記天井照明装置に照らした前記侵入者を撮影する撮影用カメラとを備えた侵入者監視装置の設置方法であって、前記撮影用カメラが撮影する前記侵入者を前記天井照明装置が照明する角度内に入るように前記天井照明装置を設置するようにした侵入者監視装置の設置方法。
【請求項１０】
人検知センサと天井照明装置は、天井の梁部またはその近辺に設置する請求項９記載の侵入者監視装置の設置方法。
【発明の詳細な説明】
【０００１】
【発明の属する技術分野】
本発明は、住宅内に侵入した侵入者をセンサにより検知し、侵入者の顔を照明により照らし、カメラで自動的に撮影する侵入者監視装置とその設置方法に関するものである。
【０００２】
【従来の技術】
近年、一般家庭において防犯対策への関心が高まり、一般住宅に侵入者監視装置が導入され始めている。
【０００３】
従来、この侵入者監視装置はに記載されたものが知られている。（例えば特許文献１）
図８は上記従来の侵入者監視装置を示しており、１０１と１０２は侵入者を検知するための第１および第２のセンサ、１０４は撮影用カメラ、１０８は照明用ライト、１０７はビデオ装置で、第１のセンサ１０１に撮影用カメラ１０４と照明用ライト１０８が接続され、第２のセンサ１０２にビデオ装置１０７が接続されて設置される。
【０００４】
以上のように構成された侵入者監視装置について、その動作を説明する。第１のセンサ１０１は侵入者Ｘを検知するとカメラ１０４とビデオ装置１０７を作動させ、第２のセンサ１０２が侵入者Ｘを検知すると照明用ラライト１０８が点灯し、侵入者Ｘを照射することで正面から撮影する。
【０００５】
【特許文献１】
特開２００２−３６７０４３号公報
【０００６】
【発明が解決しようとする課題】
従来の侵入者監視装置は、上記したように、暗い部屋に侵入者が入った場合、センサが検知して、その侵入者を撮影するために正面から照明を照らすように照明用ライトを設置していた。この場合、侵入者がその照明に驚き、反射的に顔を背ける、また、照明の眩しさで顔を覆い隠すという課題があった。また、照明を用いず、暗い部屋で侵入者に気づかれずに撮影する方法もあるが、暗視機能を持った高価なカメラが必要であり、一般住宅に手軽に導入し難いものであった。
【０００７】
本発明は、一般住宅に取り付けられる天井照明装置と安価な撮影用カメラを使って、侵入者の頭上から照明を照らし、侵入者が照明から顔を効果的に撮影する装置と設置方法を提供することを目的とする。
【０００８】
【課題を解決するための手段】
上記目的を達成するために、本発明の侵入者監視装置は、侵入者を検知する人検知センサと、前記人検知センサによる検知後照明をオンにする天井照明装置と、前記人検知センサによる検知後前記天井照明に照らした前記侵入者を撮影する撮影用カメラとを備え、前記撮影用カメラが撮影する前記侵入者を前記天井照明装置が照明する角度内に入るように前記天井照明装置を設置したものである。
【０００９】
さらに、本発明の侵入者監視装置は、人検知センサと天井照明装置は、天井梁部に同一または隣接して設置したものである。
【００１０】
【発明の実施の形態】
（実施の形態１）
以下、本発明の実施の形態について、図１を用いて説明する。図１は、本発明における侵入者監視装置を示したものであり、１は宅内の部屋に設けた人検知センサ、３は部屋の天井に設けた天井照明装置、９ａから９ｅは天井に設けた家屋構造物である梁部、１０は部屋のドア、Ｘはドア１０を開けて入る侵入者、４は侵入者Ｘを撮影する撮影用カメラ、６は撮影用カメラ４を制御する撮影装置６を示す。
【００１１】
以下、本実施の形態における侵入者撮影装置について、その動作について説明する。侵入者Ｘが、部屋のドア１０を開けて入ると、人検知センサ１は、その侵入者Ｘを検知し、出力信号を天井に取り付けた天井照明装置３に送信し、天井照明装置３は侵入者Ｘを照らす。同時に人検知センサ１は、制御装置６に出力信号を送信し、出力信号を受信した制御装置６は、撮影用カメラ４を所定のタイミングの後、動作させ、侵入者Ｘを撮影する。
【００１２】
次に、上記した侵入者撮影装置テムの設置方法について説明する。まず、人検知センサ１は、侵入者Ｘが侵入する入り口に極力近いところに設置する。このとき、ドアを開けて入った直後の侵入者Ｘが、検知範囲１ａ内に入るようにして、その人検知センサ１が侵入者Ｘを検知できるようにする。
【００１３】
また、天井照明装置３は、人検知センサが侵入者Ｘを検知した時に侵入者が、照明できる照明範囲３ａ内に入るような位置に設ける。さらに、一般に天井には家屋構造物として梁部が所定の間隔で構成されており、保持強度の面で、人検知センサ１と天井照明装置３は共に、この梁部に設けるのが良い。したがって、人検知センサはドア１０に最も近い梁部９ａに設けるのが良いことになる。また、天井照明装置３も梁部に設けるのが良いが、天井照明装置３がダウンライトである場合梁部の近辺に設けることで、配線部を梁部のみに這わせることができ、整然とした配線が可能となる。また梁部の間隔Ｌは図１で示すように所定の寸法が決められており、取り付け位置の目安としてこの梁部を用いることができる。すなわち図１で示す本実施の形態では、ドアに最も近い梁部９ａに人検知センサ１を設置し、隣接する梁部９ｂに天井照明装置３を設けている。
【００１４】
なお、当然ながら、撮影用カメラ４は、ドアを開けて入った直後の侵入者Ｘが、撮影範囲４ａ内に入るように壁面に設置する。
【００１５】
このようにして、侵入者撮影装置を設置することで、侵入者Ｘを検知し、天井からの照明により、侵入者に顔を覆わせず撮影することができる。また、侵入者から見て、照明位置と、カメラ位置の方向が異なり、照明が侵入者を真正面から照射することはないので、撮影時に顔を覆われたりする可能性が少ない。
【００１６】
また制御装置６は撮影用カメラ４を動作させるまでの時間設定ができる機能を持ち、撮影用カメラ４の動作制御、電源制御が可能であり、撮影用カメラ４が撮影を動作させるまでの時間設定をする際、天井照明装置３が侵入者Ｘを確実に照明し、撮影に適した明るさとなるように、かつ侵入者Ｘが撮影に気づく前に撮影できるように設定する。
【００１７】
また、制御装置６では、宅内に家人がいる場合は制御装置６の電源をオフにするなど、必要に応じて撮影用カメラ４電源をコントロールする電源制御を行なう。さらに、制御装置６を電話回線などのインターネットを用い、外部の所定の連絡先に画像データまたは、異常を知らせるデータを通信することで、侵入者が撮影用カメラ４の撮影に気づかれ、破壊される前に外部に以上通知することができる。あるいは、制御装置６に音声や発光による警報手段を備えた警報装置と接続するようにすればなお効果的である。
【００１８】
また、図２に示した例は、本実施の形態を発展させたもので、検知センサ１は制御装置６に接続され、さらに制御装置６は撮影用カメラ４と天井照明装置３と接続されている。そして、制御装置６は、人検知センサ１で侵入者Ｘを検知後の天井照明装置３の照明開始とカメラ撮影装置４の撮影開始するまでの時間のコントロール、あるいは天井照明装置３とカメラ撮影装置４の電源コントロールをするようにしたものである。なお、図２においては、制御装置６は、天井照明３とカメラ撮影装置４の両方を制御する装置としたが、それぞれ別個に独立して制御を行なう制御装置であっても良い。
【００１９】
なお、天井照明装置３は、普段は通常の照明装置と用いるものであり、侵入者Ｘを撮影するための照明用と、日常生活で用いる照明装置と兼用できるようにしている。また、天井照明装置３に白熱球を用いた装置を用いると、人検知センサ１が働いてから短時間で照明が開始されるので、侵入者Ｘがカメラ撮影されることに気づく前に照明を開始できる。また、天井照明装置３にダウンライトを用いると、天井に突起部がない見栄えの点でも優れているし、侵入者Ｘに照明位置を分かりにくくするという点でも効果的である。
【００２０】
さらに、本実施の形態では、ドア側から順番に人検知センサ１、天井照明装置３、カメラ撮影装置４の順に並べて設置したが、この順番に固執するものではなく、検知センサ１が侵入者Ｘを検知する時に、天井照明装置３が侵入者Ｘを照明するように設置さえすればよい。すなわち、各家庭によって異なる天井照明の設置希望位置や照明装置の形態に応じ、人検知センサ１の取り付け角度を調整する方法などにより、図３に示すように、人検知センサ１と天井照明装置３を同一の梁部に設けたり、図４に示すようにドア側から順番に天井照明装置３、人検知センサ１、カメラ撮影装置４の順に並べて設置してもよい。
【００２１】
なお、本発明は、侵入者が宅内の部屋にドアを開けて侵入する際の場合について述べたが、本実施の形態は、ドアのある部屋に限らず、階段の上がり口を侵入開始位置とし、廊下に設けた天井照明を侵入者を照明するようにしても、本発明の作用効果を妨げるものではない。
【００２２】
以上のように、本実施の形態では、夜間、暗い部屋であっても撮影用カメラが撮影可能な程度に適度な照度を持つ照明を設置することにより、暗視機能を持たないカメラで撮影できる。さらに、一般住宅に設置される天井照明と安価なカメラを使うことにより実用性が高く、手ごろな価格で侵入者撮影装置を提供することができる。
【００２３】
【発明の効果】
以上のように、本発明は、侵入者に天井から照明するので、カメラ方向から顔をそむけられる可能性を少なくして撮影でき、しかも安価な侵入者撮影装置を提供する。
【図面の簡単な説明】
【図１】本発明の実施の形態における第１の構成図
【図２】本発明の実施の形態における第２の構成図
【図３】本発明の実施の形態における第３の構成図
【図４】本発明の実施の形態における第４の構成図
【図５】従来の侵入者撮影装置の構成図
【符号の説明】
１  人検知センサ
３  天井照明装置
４  撮影用カメラ
５  制御装置
９ａ〜９ｅ  梁部
Ｘ  侵入者
【図１】
2004280379.tif 000003
【図２】
2004280379.tif 000004
【図３】
2004280379.tif 000005
【図４】
2004280379.tif 000006
【図５】
2004280379.tif 000007